(57)【要約】【課題】半導体ウエハ洗浄装置での過硫酸溶液の入れ替えの時間が短縮される過硫酸溶液製造供給装置及び方法を提供する。【解決手段】第１電解システム２０によって、洗浄槽１１へ過硫酸溶液を循環供給している間に、第２電解システムの貯留槽４１に水と硫酸が導入され、ポンプ４４、配管４５、電解セル５０、気液分離器５２、配管５３を介して循環され、過硫酸が生成する。ケミカルチェンジ時には、第１電解システム２０から排液した後、貯留槽４１内の過硫酸溶液を貯留槽２２に移送する。【選択図】図１
2017172018.tif 000002
【特許請求の範囲】
【請求項１】
ウエハ洗浄装置に過硫酸溶液を循環供給する第１電解システムを有する過硫酸溶液製造供給装置において、
該第１電解システムとは別個に設けられた、過硫酸溶液生成用の第２電解システムと、
第１電解システムに対し第２電解システムから電解溶液を移送する移送手段と
を備えたことを特徴とする過硫酸溶液製造供給装置。
【請求項２】
請求項１において、前記第１電解システムは、ウエハ洗浄装置に循環供給される過硫酸溶液を貯留する第１の貯留槽と、該第１の貯留槽から供給される液を電解処理し、電解処理後の液を該第１の貯留槽に戻す第１の電解セルを備えており、
第２電解システムは、第２の貯留槽と、該第２の貯留槽から供給される液を電解処理し、電解処理後の液を第２の貯留槽に戻す第２の電解セルと、第２の貯留槽に硫酸及び水を供給する手段とを有することを特徴とする過硫酸溶液製造供給装置。
【請求項３】
請求項１又は２の過硫酸溶液製造供給装置を用いてウエハ洗浄装置に過硫酸溶液を供給する方法であって、
該ウエハ洗浄装置でウエハを洗浄している工程の少なくとも一部において、第２電解システムで電解処理して過硫酸溶液を生成させ、
前記ウエハ洗浄装置及び第１電解システムの過硫酸溶液入れ替え時に、該ウエハ洗浄装置及び第１電解システムから過硫酸溶液を排出した後第２電解システムから該第２の電解システムに過硫酸溶液を移送することを特徴とする過硫酸溶液製造供給方法。
【発明の詳細な説明】
【技術分野】
【０００１】
本発明は、半導体ウエハを洗浄処理する洗浄装置に過硫酸溶液を供給するための装置及び方法に関するものである。
【背景技術】
【０００２】
電解硫酸溶液により半導体ウエハを洗浄する際は、少なくとも陽極にダイヤモンド電極を備えた電解セルにより硫酸を電気分解して所定量の過硫酸（ペルオキソ一硫酸とペルオキソ二硫酸の総称とする）を含み、過硫酸塩を含まない過硫酸溶液からなる電解硫酸を生成し、洗浄機に電解硫酸を送液する。その液を用いて、半導体ウエハ上のレジストや金属の溶解や洗浄を行う。
【０００３】
しかし、一般に硫酸を電気分解して所定量の過硫酸が生成するまでは長い時間を要するので、ウエハの洗浄工程に合わせて洗浄液として電解硫酸を生成・供給するためには、電解セルを多く設置する必要がある。
【０００４】
そこで特許文献１（特開２００８−１１１１８４）の実施形態５では、電解液貯留槽を３個設け、１つを洗浄部への排出用に、１つを洗浄部からの回収用に、１つを電解セルとの循環用に、のように使い分け、１ターンが終わると循環用⇒排出用、排出用⇒回収用、回収用⇒循環用に通液を切り替えるメリーゴーランド方式の処理により洗浄中にバックグラウンドで電解硫酸を生成することが提案されている。しかし洗浄時間より電解時間の方が長時間を要するため電解硫酸製造までの待ち時間が発生してしまうという問題が残る。
【０００５】
電解硫酸ではＳＰＭ（硫酸＋過酸化水素）のように過硫酸再生に伴って硫酸濃度が低下しないため洗浄液を循環して再生して洗浄に再利用することが容易にできることから、上記特許文献１ではその方式を採用しているが、洗浄排液に含まれる不純物（ウエハから溶出した微量の金属の他に、レジスト剥離除去の場合は有機物や有機物由来のＳＳ、残渣金属溶解除去の場合は残渣金属の残留物）が循環回数が増えるに伴って液中に混入・蓄積するため経時的には電解処理や洗浄処理に悪影響が及ぶリスクがある。
【０００６】
そのため特に循環式では定期的に洗浄液をフレッシュな洗浄液と入れ替える必要があり、具体的には系内の液を定期的に全部、あるいは定期的又は連続的に一部を押し出して、その分の硫酸を補給して電解硫酸を生成してウエハ洗浄を再開する、といった工程が必要になる。しかし上記従来技術では溶液入れ替えについて考慮されていない。
【０００７】
なお、従来の特開２００８−１１１１８４のようなメリーゴーランド方式では全ての貯留槽を同じ大きさにしなければならないので、例えば、第１貯留槽１００Ｌ、第２貯留槽１００Ｌ、第３貯留槽１００Ｌ、洗浄槽容量６０Ｌ、配管容量１０Ｌのように大掛かりなシステムになってしまう。
【先行技術文献】
【特許文献】
【０００８】
【特許文献１】特開２００８−１１１１８４号公報
【発明の概要】
【発明が解決しようとする課題】
【０００９】
上記のように、電解硫酸による半導体ウエハ洗浄において、洗浄排液を循環再利用する場合は、洗浄排液に含まれる不純物の経時的な蓄積を考慮して溶液の入れ替えを行うが、硫酸を電気分解して過硫酸を生成するには、長時間を要するので、電気分解して所定量の過硫酸が生成するまでは、ウエハの処理を行うことができない。本発明は、半導体ウエハ洗浄装置での過硫酸溶液の入れ替えの時間が短縮される過硫酸溶液製造供給装置及び方法を提供することを目的とする。
【課題を解決するための手段】
【００１０】
本発明の過硫酸溶液製造供給装置は、ウエハ洗浄装置に過硫酸溶液を循環供給する第１電解システムを有する過硫酸溶液製造供給装置において、該第１電解システムとは別個に設けられた、過硫酸溶液生成用の第２電解システムと、第１電解システムに対し第２電解システムから電解溶液を移送する移送手段とを備えたことを特徴とする。
【００１１】
本発明の過硫酸溶液製造供給方法は、本発明の過硫酸溶液製造供給装置を用いてウエハ洗浄装置に過硫酸溶液を供給する方法であって、該ウエハ洗浄装置でウエハを洗浄している工程の少なくとも一部において、第２電解システムで電解処理して過硫酸溶液を生成させ、前記ウエハ洗浄装置及び第１電解システムの過硫酸溶液入れ替え時に、該ウエハ洗浄装置及び第１電解システムから過硫酸溶液を排出した後第２電解システムから該第２の電解システムに過硫酸溶液を移送することを特徴とする。
【００１２】
本発明の一態様では、前記第１電解システムは、ウエハ洗浄装置に循環供給される過硫酸溶液を貯留する第１の貯留槽と、該第１の貯留槽から供給される液を電解処理し、電解処理後の液を該第１の貯留槽に戻す第１の電解セルを備えており、第２電解システムは、第２の貯留槽と、該第２の貯留槽から供給される液を電解処理し、電解処理後の液を第２の貯留槽に戻す第２の電解セルと、第２の貯留槽に硫酸及び水を供給する手段とを有する。
【発明の効果】
【００１３】
本発明では、半導体ウエハ洗浄装置に電解硫酸を供給・返送する第１電解システムを有する過硫酸溶液製造供給装置において、予め電解硫酸を製造して予備タンクに貯留しておく第２電解システムを設ける。
【００１４】
本発明装置及び方法では、ウエハ洗浄中に、第２電解システムで電解硫酸を生成させて貯留させておくことができるため、ウエハ洗浄の待ち時間（ケミカルチェンジ時間）を短縮できる。また第１電解システムから第２電解システムへの液流入がないので、第２電解システムへの不純物の混入・蓄積のおそれもない。
【図面の簡単な説明】
【００１５】
【図１】実施の形態を示すブロック図である。
【図２】図１の過硫酸溶液製造供給装置のフロー図である。
【図３】別の実施の形態を示すブロック図である。
【図４】図３の過硫酸溶液製造供給装置のフロー図である。
【発明を実施するための形態】
【００１６】
本発明の第１実施形態の過硫酸溶液製造供給装置を図１に基づいて説明する。
【００１７】
この過硫酸溶液製造供給装置は、複数枚の半導体ウエハ１００をまとめて洗浄するバッチ式洗浄機１０と、第１電解システム２０及び第２電解システム４０とを有する。各電解システム２０，４０の電解セル３０，５０は、少なくとも陽極をダイヤモンド電極とした電極を有すると共に、陽極、陰極間に通電する電源装置（図示しない）を備える。電極としてバイポーラ電極を備えるものであってもよい。
【００１８】
バッチ式洗浄機１０は、電解された硫酸溶液が満たされる洗浄槽１１のほか、洗浄槽１１での洗浄後の半導体ウエハ１００をリンスする高温リンス槽、高温リンス槽でのリンス後の半導体ウエハ１００を更にリンスする常温リンス槽、および常温リンス槽でのリンス後の半導体ウエハ１００を乾燥する乾燥機を有している（いずれも図示せず）。
【００１９】
洗浄槽１１の液流出部と液入口部は、配管１２、ポンプ１３、配管１４、ヒータ１５、配管１６よりなる循環ラインによって接続されている。各配管及び機器は、１００℃以上の温度に対し耐熱性を有する材料で構成されており、例えばＰＦＡ等のフッ素樹脂製とされている。
【００２０】
配管１６からは、バルブ１８を有した配管１７が分岐しおり、系内の液を系外に排出できるようになっている。
【００２１】
第１電解システム２０は、配管１２から分岐した配管２１を介して洗浄機排出液が導入される貯留槽（第１の貯留槽）２２と、該貯留槽２２内の液を電解処理する前記電解セル３０等と、電解処理された液を配管１６に返送するための配管２３、ポンプ２４、配管２５等を有している。
【００２２】
貯留槽２２内の液は、ポンプ２７、配管２８を介して電解セル３０（第１の電解セル）に導入される。電解処理された液は、配管３１、気液分離器３２、配管３３を介して貯留槽２２に戻される。気液分離器３２で分離されたガスは、ガス処理装置５６へ送られる。
【００２３】
第２電解システム４０は、配管４２，４３から硫酸及び水がそれぞれ供給される貯留槽（第２の貯留槽）４１と、該貯留槽４１内の液を電解セル（第２の電解セル）５０へ供給するためのポンプ４４、配管４５、バルブ４６と、電解セル５０で電解された液が配管５１を介して導入される気液分離器５２と、気液分離器５２から液を貯留槽４１に戻す配管５３と、気液分離器５２で分離されたガスをガス処理装置５６へ送る配管５４等を備えている。
【００２４】
配管４５からは、配管４７が分岐しており、該配管４５，４７、バルブ４８、配管４９を介して貯留槽４１内の液が第１電解システムの貯留槽２２へ供給可能とされている。
【００２５】
次に、上記過硫酸溶液製造供給装置の動作について図２を参照して説明する。
【００２６】
洗浄槽１１には、硫酸濃度７０〜９６質量％の硫酸溶液が満たされている。洗浄槽１１から配管１２へ流出した液の一部は、ポンプ１３、配管１４、ヒータ１５、配管１６を介して循環される。例えば、洗浄槽１１の槽容積Ｖに対し、１／２〜１／３Ｖ／分の循環流量で硫酸溶液が循環される。このときバルブ１８は閉となっている。
【００２７】
配管１２へ流出した液の残部は、配管２１を介して貯留槽２２へ導入される。貯留槽２２内に導入された液の一部は、ポンプ２７、配管２８、電解セル４０、配管３１、気液分離器３２、配管３３を介して貯留槽２２へ循環され、電解処理され、過硫酸が生成する。過硫酸を含んだ貯留槽２２内の液は、配管２３、ポンプ２４、配管２５を介して配管１６へ供給される。
【００２８】
このように、ウエハ洗浄が行われている間に、特にウエハ洗浄工程の少なくとも初期において、第２電解システムの貯留槽４１に水と硫酸が導入され、貯留槽４１内の液の一部はポンプ４４、配管４５、電解セル５０、気液分離器５２、配管５３を介して循環され、電解処理され過硫酸が生成する。なお、このときは、バルブ４６は開、バルブ４８は閉とされている。貯留槽４１内の過硫酸濃度が所定濃度に達したならば、この循環を停止し、貯留槽４１内に過硫酸溶液を貯留しておく。
【００２９】
所定時間、又は所定枚数のウエハを洗浄した後、バルブ１８を開とし、洗浄槽１１及び配管１２，１４，１６，２１，２３，２５並びに第１電解システム２０内の液を配管１７を介して系外に排出する。
【００３０】
次いで、バルブ１８を閉とした後、貯留槽４１内に貯留しておいたフレッシュな過硫酸溶液を、ポンプ４４及び配管４５，４７，４９を介して貯留槽２２へ導入する。この際、バルブ４６は閉、バルブ４８は開とする。
【００３１】
所定量の過硫酸溶液を貯留槽２２に移送した後、移送を停止し、槽２２内の液をポンプ２４、配管２３，２５を介して洗浄槽１１へ供給し、洗浄槽１１と、配管１２，１４，１６の循環ラインを過硫酸溶液で満たした後、ウエハ洗浄を再開する。
【００３２】
このように、図２の通り、洗浄槽１１でウエハ１００を洗浄している間に、第２電解システム４０において過硫酸溶液を製造しているので、１つのバッチのウエハ洗浄と次のバッチのウエハ洗浄との間では、洗浄槽１１及び第１電解システム２０からの液排出と、洗浄槽１１と第１電解システム２０に第２電解システム４０から過硫酸溶液の移送だけを行うだけで次のバッチの洗浄を開始することができ、バッチ間の過硫酸溶液更新作業（ケミカルチェンジ）時間が著しく短縮される。
【００３３】
また、本発明では、第１電解システム２０の貯留槽２２の容量を小さくすることができる。第２電解システム４０が設けられていない場合、例えば洗浄槽容量６０Ｌ、１バッチに必要な過硫酸溶液が１００Ｌのとき貯留槽２１容量１００Ｌ、洗浄槽容量６０Ｌ、配管容量１０Ｌ程度であるのに対し、第２電解システム４０を設置した場合、貯留槽４１容量１００Ｌ、貯留槽２１容量３０Ｌ、洗浄槽容量６０Ｌ、配管容量１０Ｌ程度で足り、第１電解システム貯留槽２１の容量は半減されるので、第２電解システム４０の増設による装置の大型化を抑えることができる。
【００３４】
なお、通常は、第１電解システム２０の貯留槽２２の容量は１０〜８０Ｌ、第２電解システム４０の貯留槽４１の容量は８０〜１５０Ｌ程度となる。
【００３５】
図１，２はバッチ式洗浄装置であるが、本発明は図３，４の枚葉式の洗浄装置６０にも適用可能である。
【００３６】
この枚葉式の洗浄装置６０は、搬入されたウエハ１００に向けた洗浄液ノズル６１と、ウエハ１００を載置して回転させる回転台６２とを備える。洗浄液ノズル６１で、洗浄液として硫酸溶液がスプレーされるか少量ずつ流れ落ちて、回転台に保持されたウエハ１００の上面に供給される。
【００３７】
ウエハ１００上面に供給された洗浄液は、ウエハ１００の回転による遠心力を受けて、ウエハ１００の上面を周縁部に向けて拡がり、ウエハ１００の洗浄が行われる。洗浄液は、ウエハ１００の周縁から振り切られて側方に飛散し、回収槽６３に導入され、ポンプ６４、配管６５を介して貯留槽６６に導入される。貯留槽６６内の液は、ポンプ６７、熱交換器６８、配管６９を介して貯留槽７０に導入される。貯留槽７０内の液は、ポンプ７１、急速加熱器７２、配管７３、バルブ７４、配管７５を介して洗浄液ノズル６１へ供給される。配管７３からは配管（バイパスライン）７６が分岐しており、該配管７６にバルブ７７が設けられている。洗浄装置６０でウエハを洗浄しているときには、バルブ７４を開、バルブ７７を閉とする。洗浄装置６０でのウエハ洗浄が停止しているときには、バルブ７４を閉、バルブ７７を開とし、配管７３からの液を配管７６を介して貯留槽６６へ供給する。急速加熱器７２は、例えば近赤外線ヒータによって硫酸溶液を一過式で１２０〜２２０℃に急速加熱する。
【００３８】
第１電解システム８０は、この貯留槽７０と、該貯留槽７０内の液を電解処理する前記電解セル３０等を有している。電解セル３０及び該電解セル３０への液の循環供給機構の構成は図１，２の場合と同じである。即ち、貯留槽７０内の液は、ポンプ２７、配管２８を介して電解セル３０に導入される。電解処理された液は、配管３１、気液分離器３２、配管３３を介して貯留槽７０に戻される。気液分離器３２で分離されたガスは、ガス処理装置５６へ送られる。
【００３９】
第２電解システム４０の構成は図１，２のものと同一であり、同一部材に同一符号を付してその説明を省略する。
【００４０】
この枚葉式の洗浄装置においても、図４の通り、洗浄槽６０でウエハ洗浄が行われている間に、特にウエハ洗浄工程の少なくとも初期において、第２電解システムの貯留槽４１に水と硫酸が導入され、貯留槽４１内の液の一部はポンプ４４、配管４５、電解セル５０、気液分離器５２、配管５３を介して循環され、電解処理され過硫酸が生成する。なお、このときは、バルブ４６は開、バルブ４８は閉とされている。貯留槽４１内の過硫酸濃度が所定濃度に達したならば、この循環を停止し、貯留槽４１内に過硫酸溶液を貯留しておく。
【００４１】
所定時間、又は所定枚数のウエハを洗浄した後、洗浄装置６０、回収槽６３、貯留槽６６、及び配管６５，６９，７３，７５、並びに第１電解システム２０内の液を回収槽６３又はその上流側に接続されている排液ライン（図示略）を介して系外に排出する。
【００４２】
次いで、貯留槽４１内に貯留しておいたフレッシュな過硫酸溶液を、ポンプ４４及び配管４７，４９を介して貯留槽７０へ導入する。この際、バルブ４６は閉、バルブ４８は開とする。
【００４３】
所定量の過硫酸溶液を貯留槽７０に移送した後、移送を停止し、貯留槽７０内の液をポンプ７１、配管７３，７５を介して洗浄装置６０へ供給し、ウエハ洗浄を再開する。
【００４４】
このように、洗浄装置６０でウエハ１００を洗浄している間に、第２電解システム４０において過硫酸溶液を製造しているので、過硫酸溶液更新作業を行う場合、第１電解システム８０からの排液排出とそれらへの第２電解システム４０から過硫酸溶液の移送だけを行うだけでよく、過硫酸溶液更新作業（ケミカルチェンジ）時間が著しく短縮される。
本発明は特に過硫酸溶液の酸化剤濃度が高いとき（例えば０．０３〜０．１ｍｏｌ／Ｌ）や、洗浄液温度が高いとき（例えば１５０〜１８０℃）に好適に用いることができる。
【実施例】
【００４５】
以下に、本発明の実施例および比較例を示す。
【００４６】
［比較例１］
図１において、第２電解システム４０を省略した。第１電解システム２０には４機の電解セル３０を設置した。本装置を用いて、ケミカルチェンジを行った。既存の溶液を配管１７からドレインして、新たな硫酸と水を洗浄槽１１及び貯留槽２２に投入して硫酸濃度が８５％となるようにした。洗浄槽１１内の溶液温度は１２０℃に設定した。その後、電解セル３０に０．４Ａ／ｃｍ２の電流密度で通電し、電解硫酸溶液を生成させ、酸化剤濃度０.０１ｍｏｌ／Ｌとし、ケミカルチェンジ完了とした。
【００４７】
ケミカルチェンジ完了までにかかった時間は、３００分であった。その後のウエハ洗浄処理（１２時間）の際、電解硫酸溶液の酸化剤濃度は安定していた。
【００４８】
［比較例２］
比較例１において、電解セル３０の数を１０機としたこと以外は同様とした。本装置を用いて、ケミカルチェンジを行った。既存の溶液をドレインして、新たなに硫酸と水を洗浄槽１１及び貯留槽２２に投入して硫酸濃度が８５％となるようにした。また、洗浄槽１１内の溶液温度は１２０℃に設定した。その後、電解セル３０に０．４Ａ／ｃｍ２の電流密度で通電し、電解硫酸溶液を生成し、酸化剤濃度０.０３ｍｏｌ／Ｌとし、ケミカルチェンジ完了とした。
【００４９】
ケミカルチェンジ完了までにかかった時間は、３００分であった。その後のウエハ洗浄処理（１２時間）の際、電解硫酸溶液の酸化剤濃度は安定していた。
【００５０】
［比較例３］
比較例１において、電解セル３０の数を１５機としたこと以外は同様とした。本装置を用いて、ケミカルチェンジを行った。既存の溶液をドレインして、新たなに硫酸と水を洗浄槽１１及び貯留槽２２に投入して硫酸濃度が８５％となるようにした。洗浄槽１１内の溶液温度は、１５０℃に設定した。その後、電解セル３０に０．４Ａ／ｃｍ２の電流密度で通電し、電解硫酸溶液を生成し、酸化剤濃度０.０１ｍｏｌ／Ｌとし、ケミカルチェンジ完了とした。
【００５１】
ケミカルチェンジ完了までにかかった時間は、３００分であった。その後のウエハ洗浄処理（１２時間）の際、電解硫酸溶液の酸化剤濃度は安定していた。
【００５２】
［実施例１］
図１の通り、第２電解システム４０を設置したこと以外は同様とした。電解セルの数は、第１電解システムにおける電解セル３０の数を４機、第２電解システムにおける電解セル５０の数を２機とした。本装置を用いて、ウエハ処理を行っている間に、第２電解システム４０で新たに硫酸と水を貯留槽４１に投入して硫酸濃度が８５％となるようにした。電解セル３０，５０に０．４Ａ／ｃｍ２の電流密度で通電し、電解硫酸溶液を生成し、酸化剤濃度０.０１ｍｏｌ／Ｌとした。ケミカルチェンジの際は、まず、洗浄槽１１と配管１２〜１６、第１電解システム２０の電解硫酸溶液をドレインし、第２電解システム４０で製造しておいた電解硫酸溶液を貯留槽４１から貯留槽２２に移送した。洗浄槽１１内の溶液温度は、１２０℃に設定した。これにより、ケミカルチェンジ時間（ウエハ処理ができない時間）は６０分であった。その後のウエハ洗浄処理（１２時間）の際、電解硫酸溶液の酸化剤濃度は安定していた。
【００５３】
［実施例２］
実施例１において、電解セルの数を第１電解システムの電解セル３０は６機、第２電解システムの電解セル５０は３機としたこと以外は同様とした。本装置を用いて、ウエハ洗浄処理を行っている間に、第２電解システム４０で新たなに硫酸と水を貯留槽４１に投入して硫酸濃度が８５％となるようにした。その後、電解セル３０，５０に０．４Ａ／ｃｍ２の電流密度で通電し、電解硫酸溶液を生成し、酸化剤濃度０.０３ｍｏｌ／Ｌとした。ケミカルチェンジは実施例１と同様にして行った。洗浄槽１１内の溶液温度は、１２０℃に設定した。これにより、ケミカルチェンジ時間（ウエハ処理ができない時間）は６０分であった。その後のウエハ洗浄処理（１２時間）の際、電解硫酸溶液の酸化剤濃度は安定していた。
【００５４】
［実施例３］
実施例１において、電解セルの数を第１電解システムの電解セル３０は８機、第２電解システムの電解セル５０は２機としたこと以外は同様とした。本装置を用いて、ウエハ洗浄処理を行っている間に、貯留槽４１に投入して硫酸濃度が８５％となるようにした。電解セル３０，５０に０．４Ａ／ｃｍ２の電流密度で通電し、電解硫酸溶液を生成し、酸化剤濃度０.０１ｍｏｌ／Ｌとした。ケミカルチェンジは実施例１と同様にして行った。洗浄槽１１内の溶液温度は、１５０℃に設定した。これにより、ケミカルチェンジ時間（ウエハ処理ができない時間）は６０分であった。その後のウエハ洗浄処理（１２時間）の際、電解硫酸溶液の酸化剤濃度は安定していた。
【００５５】
比較例、実施例の結果を表１に示す。
【００５６】
【表１】
2017172018.tif 000003
【００５７】
比較例１〜３では、第１電解システムの電解硫酸生成部からの洗浄液循環ライン中の循環液をフレッシュな電解硫酸に置換するのに長時間を要していたが、実施例１〜３では、液入れ替えの時間を大幅に短縮することができた。
【００５８】
比較例２の通り、電解硫酸中の酸化剤濃度の設定濃度が高い場合、過硫酸の消失を考慮して、電解硫酸装置内の電解セル数を増やす必要があったが、本発明では実施例２の通り、電解セル数の増設数を抑えることもできることが裏付けられた。
【００５９】
比較例３の通り、洗浄槽１１内の温度が高温の場合、過硫酸の消失を考慮して、電解硫酸装置内の電解セル数を増やす必要があったが、本発明では実施例３の通り、電解セル数の増設数を抑えることもできることが裏付けられた。
【符号の説明】
【００６０】
１１  洗浄槽
１５  ヒータ
２０，８０  第１電解システム
３０，５０  電解セル
４０  第２電解システム
７３  急速加熱器
【図１】
2017172018.tif 000004
【図２】
2017172018.tif 000005
【図３】
2017172018.tif 000006
【図４】
2017172018.tif 000007
【手続補正書】
【提出日】平成29年6月2日(2017.6.2)
【手続補正１】
【補正対象書類名】特許請求の範囲
【補正対象項目名】全文
【補正方法】変更
【補正の内容】
【特許請求の範囲】
【請求項１】
ウエハ洗浄装置に過硫酸溶液を循環供給する第１電解システムを有する過硫酸溶液製造供給装置において、
該第１電解システムとは別個に設けられた、過硫酸溶液生成用の第２電解システムと、
第１電解システムに対し第２電解システムから電解溶液を移送する移送手段と
を備えた過硫酸溶液製造供給装置であって、
前記第１電解システムは、ウエハ洗浄装置に循環供給される過硫酸溶液を貯留する第１の貯留槽と、該第１の貯留槽から供給される液を電解処理し、電解処理後の液を該第１の貯留槽に戻す第１の電解セルを備えており、
第２電解システムは、第２の貯留槽と、該第２の貯留槽から供給される液を電解処理し、電解処理後の液を第２の貯留槽に戻す第２の電解セルを有することを特徴とする過硫酸溶液製造供給装置。
【請求項２】
請求項１において、前記第２電解システムは、前記第２の貯留槽に硫酸及び水を供給する手段を有することを特徴とする過硫酸溶液製造供給装置。
【請求項３】
請求項１又は２の過硫酸溶液製造供給装置を用いてウエハ洗浄装置に過硫酸溶液を供給する方法であって、
該ウエハ洗浄装置でウエハを洗浄している工程の少なくとも一部において、第２電解システムで電解処理して過硫酸溶液を生成させ、
前記ウエハ洗浄装置及び第１電解システムの過硫酸溶液入れ替え時に、該ウエハ洗浄装置及び第１電解システムから過硫酸溶液を排出した後第２電解システムから該第１の電解システムに過硫酸溶液を移送することを特徴とする過硫酸溶液製造供給方法。
【手続補正２】
【補正対象書類名】明細書
【補正対象項目名】００１０
【補正方法】変更
【補正の内容】
【００１０】
本発明の過硫酸溶液製造供給装置は、ウエハ洗浄装置に過硫酸溶液を循環供給する第１電解システムを有する過硫酸溶液製造供給装置において、該第１電解システムとは別個に設けられた、過硫酸溶液生成用の第２電解システムと、第１電解システムに対し第２電解システムから電解溶液を移送する移送手段とを備えた過硫酸溶液製造供給装置であって、前記第１電解システムは、ウエハ洗浄装置に循環供給される過硫酸溶液を貯留する第１の貯留槽と、該第１の貯留槽から供給される液を電解処理し、電解処理後の液を該第１の貯留槽に戻す第１の電解セルを備えており、第２電解システムは、第２の貯留槽と、該第２の貯留槽から供給される液を電解処理し、電解処理後の液を第２の貯留槽に戻す第２の電解セルを有することを特徴とする。
【手続補正３】
【補正対象書類名】明細書
【補正対象項目名】００１１
【補正方法】変更
【補正の内容】
【００１１】
本発明の過硫酸溶液製造供給方法は、本発明の過硫酸溶液製造供給装置を用いてウエハ洗浄装置に過硫酸溶液を供給する方法であって、該ウエハ洗浄装置でウエハを洗浄している工程の少なくとも一部において、第２電解システムで電解処理して過硫酸溶液を生成させ、前記ウエハ洗浄装置及び第１電解システムの過硫酸溶液入れ替え時に、該ウエハ洗浄装置及び第１電解システムから過硫酸溶液を排出した後第２電解システムから該第１の電解システムに過硫酸溶液を移送することを特徴とする。
【手続補正４】
【補正対象書類名】明細書
【補正対象項目名】００１２
【補正方法】変更
【補正の内容】
【００１２】
本発明の一態様では、前記第２電解システムは、前記第２の貯留槽に硫酸及び水を供給する手段を有する。